(57)【要約】【課題】折戸用蝶番の二枚の羽根板を１８０度全開させたとき、正確に１８０度に開くように調整可能とする。【解決手段】一方の羽根板４に回転軸を中心として全開状態・半開状態・全閉状態の三状態における固定用凹部２６，２７，２８を備えた位置決め部材７を有し、他方の羽根板５に前記各固定用凹部２６，２７，２８に圧入して位置を固定する押圧部材８を有する折戸の蝶番において、位置決め部材７に回転軸を支点として回動し全開状態における固定用凹部２６に突出する調節部材２３および調節部材２３に作用して回動させる調節ねじ３２を備え、この調節ねじ３２を調節して調節部材２３を全開状態における固定用凹部２６に突出する長さを調節することにより二枚の羽根板４，５の全開の角度を可調整とした。【選択図】        図１
2004332199.tif 000002
【特許請求の範囲】
【請求項１】
一方の羽根板に回転軸を中心として全開状態・半開状態・全閉状態の三状態における固定用凹部を備えた位置決め部材を有し、他方の羽根板に前記各固定用凹部に圧入して開閉位置を固定する押圧部材を有する折戸の蝶番において、前記位置決め部材に回転軸を支点として回動し前記全開状態における固定用凹部に突出する調節部材および前記調節部材に作用して調節部材の回動位置を調節する調節ねじを備え、この調節ねじを調節して前記調節部材の前記全開状態における固定用凹部に突出する長さを調節することにより二枚の羽根板の全開状態における開成角度を可調整としたことを特徴とする折戸用蝶番。
【発明の詳細な説明】
【０００１】
【発明の属する技術分野】
本発明は、例えば大広間の間仕切りなどに利用される折戸に用いられる蝶番に関するものである。
【０００２】
【従来の技術】
大広間などの間仕切りとして利用される折戸は、各折戸毎の上下端面に設けられたガイドが敷居や鴨居のレールに嵌合しており、これらのガイドがレールを走行することで折戸の開閉が行われる。そして、未使用時には一方の縦枠に折戸を折り重ね、使用時に、即ち大広間などを仕切る時には、各折戸を拡げて仕切っている。
【０００３】
このような折戸の開閉は折戸に設けられた蝶番によって行われるのであるが、不使用時において各折戸を折り重ねた状態では、蝶番は二枚の羽根板が閉じており（以下、「全閉状態」という）、また使用時において拡げた状態では、羽根板は１８０度開いている（以下、「全開状態」という）。
【０００４】
そして、この折戸用の蝶番の中には、折戸が折り重ねられた状態を確実に保つため即ち蝶番の全閉状態を確実に保つため、或いは折戸が拡げられた状態に保つため即ち蝶番の全開状態を確実に保つため、蝶番の回転軸に位置決め機構を備えたものがある。この蝶番は折戸を走行するときに、折戸をやや開いた状態で行うため、羽根板がやや開いた位置（以下、「半開状態」という）を保つ構成ともなっている。
【０００５】
この位置決め機構は、一方の羽根板の回転軸に固定した全開状態・半開状態・全閉状態の三状態における固定用凹部を備えた位置決め部材が備えられ、また、他方の羽根板には前記の各固定用凹部にばね力で圧入する押圧部材が備えられた構成で、折戸を折り重ねる力や拡げる際に、押圧部材がばね力に抗して凹部と凹部との間の凸部を越えることで全開状態・半開状態・全閉状態の各固定用凹部へ移動する。
【０００６】
【発明が解決しようとする課題】
しかしながら、折戸を拡げた時、即ち蝶番の全開状態の時には二枚の羽根板がほぼ正確に１８０度開いて、折戸が直線状になるのが理想的なのであるが、実際には蝶番の取付状態などの原因からほぼ正確に１８０度開くことは難い。従って、このように全開位置を保持する機構を備えた蝶番であっても、全開状態でほぼ正確に１８０度開いて、折戸が直線状に閉まって間仕切るということは難しく、仕切った状態の見栄えが悪いなどの問題点があった。
【０００７】
【課題を解決するための手段】
前記課題を解決するため、本発明の蝶番は、一方の羽根板に回転軸を中心として全開状態・半開状態・全閉状態の三状態における固定用凹部を備えた位置決め部材を有し、他方の羽根板に前記各固定用凹部に圧入して開閉位置を固定する押圧部材を有する折戸の蝶番において、前記位置決め部材に回転軸を支点として回動し前記全開状態の固定用凹部に突出する調節部材および前記調節部材に作用して調節部材の回動位置を調節する調節ねじを備え、この調節ねじを調節して前記調節部材の前記全開状態における固定用凹部に突出する長さを調節することにより二枚の羽根板の全開状態における開成角度を可調整としたことを特徴とする。
【０００８】
【発明の実施の形態】
次に、本発明の好ましい実施の形態を図面に就いて説明する。
【０００９】
図１乃至図７は本発明の好ましい実施の形態の一つを示すものであり、折戸用蝶番１は主として、２枚の羽根板４，５と、これら二枚の羽根板４，５の回転軸となる軸ピン６と、この軸ピン６が貫通して一方の羽根板４に固定された位置決め部材７と、この位置決め部材７に作用し他方の羽根板５に摺動可能に装着された押圧部材８とから構成される。
【００１０】
そして、羽根板４の羽根板５側の側縁９には上下方向に適宜な間隔で二つの連結片１１，１１が突設されているとともに、羽根板５の羽根板４側の側縁１０にも上下方向に連結片１１，１１の間隔よりもやや短い間隔で連結片１２，１２が突設されている。また、これらの連結片１１，１１および１２，１２には挿通孔１３，１３および１４，１４がそれぞれ穿設されている。そして、羽根板４の上の連結片１１と羽根板５の上の連結片１２とが、また羽根板４の下の連結片１１と羽根板５の下の連結片１２とが、それぞれ重ねられた状態で、互いに連通する挿通孔１３，１３、１４，１４に軸ピン６が貫通しており、この軸ピン６を支点に二枚の羽根板４，羽根板５が回動自在な構成となっている。尚、二つの羽根板４，羽根板５の中央部分にはそれぞれ各側縁９，１０に開放された嵌合凹部１７，１８が形成されている。
【００１１】
位置決め部材７は、外周面２０がほぼ曲面状に形成され、上下の面は平らな端面１５，１６となっており、端面１５から端面１６までの高さは羽根板５の上下の連結片１２，１２の間隔よりもやや短く形成したものである。また、上の端面１５から下の端面１６に貫通する貫通孔１９が穿設されているとともに、外周面２０の中央には端面１５，端面１６と平行な適宜幅の収納溝２１が穿設されている。そして、この収納溝２１に貫通孔１９と同径の挿通孔２２と板状の調節部３３とを有する調節部材２３が収納されている。
【００１２】
この位置決め部材７は羽根板５の二つの連結片１２，１２の間に配置され、貫通孔１９と調節部材２３の挿通孔２２とに軸ピン６が貫通されて支持されている。そして、位置決め部材７には羽根板４側に係合凸部２４が突設され、この係合凸部２４が羽根板４の嵌合凹部１７に形成された係止孔２５に密に嵌合されて固定され、調節部材２３は軸ピン６を支点として回動可能に構成される。
【００１３】
更に、この位置決め部材７の外周面は、羽根板４，５を全開状態に固定する固定用凹部２６と、この固定用凹部２６の反対側に全閉状態に固定する固定用凹部２７と、この固定用凹部２７に隣接して半開状態に固定する固定用凹部２８と、この固定用凹部２６と半開状態に固定する凹部２８との間に第一の凸部２９と、この固定用凹部２８と全閉状態に固定する固定用凹部２７との間に第二の凸部３０とが形成され、これらは軸周りに曲面状に連接されている。
【００１４】
また、係合凸部２４には全閉状態に固定する固定用凹部２７側から収納溝２１まで貫通するねじ溝孔３１が穿設され、このねじ溝孔３１に調節ねじ３２が固定用凹部側から螺合して調節部材２３の調節部３３に当接している。そして、調節ねじ３２を螺入方向へ回すと調節部３３が収納溝２１から全開状態における固定用凹部２７に挿通孔２２を支点として回動しながら突出するもので、調節ねじ３２の螺入と螺出とによって調節部３３の突出長さが変化するように構成したものである（図２参照）。
【００１５】
一方、前記各固定用凹部２６，２７，２８に嵌合する押圧部材８は、扁平状の略直方体に形成され、上下の端面３９，端面３９の一方の端縁には長手方向に延びる溝４０，４０が形成されている。そして、これらの溝４０，４０が羽根板５の嵌合凹部１８の上壁面４１と下壁面４２にそれぞれ内側へ対向して突設された突片４３，４３が嵌合して、嵌合凹部１８に対して横方向へ摺動可能に収装される構成となっている。また、押圧部材８は、羽根板５の側縁１０側の先端が円弧状に形成された係止凸部３４を有し、更に後端面３５には穴３６が穿設されている。この穴３６には嵌合凹部１８の後端壁３７との間に圧縮コイルばねからなるばね３８が介装され、このばね３８が押圧部材８を羽根板５の側縁１０方向へ摺動させる付勢力となっている。尚、押圧部材８の後端壁３５にはばね３８を覆う突片４８を有している。
【００１６】
そして、このばね３８の付勢力を有する押圧部材８の係止凸部３４が位置決め部材７の全開状態における固定用凹部２７、半開状態における固定用凹部２８、全閉状態における固定用凹部２８に嵌合することにより、蝶番１が全開状態、半開状態、全閉状態の三つの状態に固定される。
【００１７】
以上のように構成した本実施の形態における折戸用蝶番１は、図１および図３に示すように、全開状態として羽根板４を折戸２の取付凹部４４に、また羽根板５を折戸３の取付凹部４５に、それぞれの羽根板４，羽根板５のねじ孔４６に止めねじ４７を通して取り付ける。
【００１８】
このとき、図２（Ａ）および図３に示されるように、従来のこの種の蝶番と同様に本実施の形態における蝶番１も取付け誤差を考慮して羽根板４，羽根板５が全開状態のときには１８０度以上拡がるように予め設定されている。従って、調節ねじ３２を回して調節部材２３の調節部３３を全閉凹部２７より適宜な長さ突出させて羽根板４と羽根板５とをほぼ１８０度になるように調整してばね３８のばね力で固定するのである（図２（Ｂ）および図４参照）。
【００１９】
そして、折戸２，３を敷居の上を走行させるときは、折戸２，３をやや開いた状態まで閉じる。このとき押圧部材８の係止凸部３４は第一の凸部２９をばね３８の力に抗して越えて、半開状態の固定用凹部２８に嵌合してばね３８のばね力で固定される（図５を参照）。
【００２０】
更に、折戸２，３を閉じて折り重ねたときは、係止凸部３４が第二の凸部３０を越えて全閉状態における固定用凹部２７に嵌合してばね３８のばね力で固定されるのである（図６を参照）。
【００２１】
尚、本実施の形態では位置決め部材７を羽根板４の係止孔２５に密に嵌合させることで固定したが、位置決め部材７が羽根板４に固定されるならば、他の固定手段を用いても差し支えない。
【００２２】
【発明の効果】
以上のように本発明は、全開状態・半開状態・全閉状態で固定される手段を備えた折戸の蝶番にあって、全開状態における角度を可調整としたものであるから、蝶番の取付状態が悪く、或いは蝶番が１８０度以上開く傾向があっても、調整することによりほぼ１８０度正確に全開され、折戸は屈折することなくほぼ一平面状に開いた状態に拡がり、見栄えのよい折戸となるものである。
【００２３】
殊に、位置決め部材に調節部材を回動可能に取り付け、調節ねじを回して調節部材を全開状態における固定用凹部に突出させることで調整するものであるから、確実に調整が行われるばかりか、簡単な作業で調整が終了するという優れた効果を有するものである。
【図面の簡単な説明】
【図１】本発明の一実施の形態の分解斜視図である。
【図２】前記実施の形態の位置決め部材と押圧部材の説明図である。
【図３】前記実施の形態の調整前の全開状態時の横断面図である。
【図４】前記実施の形態の調整後の全開状態時の横断面図である。
【図５】前記実施の形態の半開状態時の横断面図である。
【図６】前記実施の形態の全閉状態時の横断面図である。
【図７】前記実施の形態の正面図である。
【符号の説明】
１  折戸用蝶番
４  羽根板
５  羽根板
７  位置決め部材
８  押圧部材
２３  調節部材
２６  固定用凹部
２７  固定用凹部
２８  固定用凹部
３８  ばね
【図１】
2004332199.tif 000003
【図２】
2004332199.tif 000004
【図３】
2004332199.tif 000005
【図４】
2004332199.tif 000006
【図５】
2004332199.tif 000007
【図６】
2004332199.tif 000008
【図７】
2004332199.tif 000009